(57)【要約】【課題】  ＡＶアンプの音声モードの設定と、ディスプレイ装置の映像モードの設定とを簡易化すること。【解決手段】  ユーザ操作によってＡＶアンプの音声モードが設定されると、音声モードがディスプレイ装置に通知される。ディスプレイ装置は、通知された音声モードに対応する映像モードに自動的に設定する。従って、ユーザ操作によって映像モードを選択することなく、ディスプレイ装置に適切な映像モードを設定することができる。ユーザ操作によってディスプレイ装置の映像モードが設定されると、映像モードがＡＶアンプに通知される。ＡＶアンプは、通知された映像モードに対応する音声モードに設定する。従って、ユーザ操作によって音声モードを選択することなく、ＡＶアンプに適切な音声モードを設定することができる。【選択図】図５
2009246914.tif 000002
【特許請求の範囲】
【請求項１】
音声データに音声処理を実行する音声処理装置と、映像データを表示するディスプレイ装置とを備え、
前記音声処理装置が、複数の音声モードの中からユーザ操作によって選択された音声モードに設定する音声モード設定手段と、
前記音声モード設定手段によって設定された音声モードに基づいて音声データに音声処理を実行する音声処理手段と、
前記音声モード設定手段によって設定された音声モードを含む音声モード設定通知を前記ディスプレイ装置に送信する通知送信手段とを有し、
前記ディスプレイ装置が、前記音声処理装置に設定可能な１又は複数の音声モードに対応付けて映像モードを記憶する映像モード記憶部と、
前記通知送信手段から前記音声モード設定通知を受信する通知受信手段と、
前記通知受信手段によって受信された前記音声モード設定通知に含まれる音声モードに対応する映像モードを前記映像モード記憶部から選択し、選択された映像モードに設定する映像モード設定手段と、
前記映像モード設定手段によって設定された映像モードに基づいて映像データに映像処理を実行する映像処理手段とを有する、コンテンツ再生システム。
【請求項２】
請求項１に記載のコンテンツ再生システムに使用される音声処理装置であって、
複数の音声モードの中からユーザ操作によって選択された音声モードに設定する音声モード設定手段と、
前記音声モード設定手段によって設定された音声モードに基づいて音声データに音声処理を実行する音声処理手段と、
前記音声モード設定手段によって設定された音声モードを含む音声モード設定通知を前記ディスプレイ装置に送信する通知送信手段とを備える、音声処理装置。
【請求項３】
請求項１に記載のコンテンツ再生システムに使用されるディスプレイ装置であって、
前記音声処理装置に設定可能な１又は複数の音声モードに対応付けて映像モードを記憶する映像モード記憶部と、
前記通知送信手段から前記音声モード設定通知を受信する通知受信手段と、
前記通知受信手段によって受信された前記音声モード設定通知に含まれる音声モードに対応する映像モードを前記映像モード記憶部から選択し、選択された映像モードに設定する映像モード設定手段と、
前記映像モード設定手段によって設定された映像モードに基づいて映像データに映像処理を実行する映像処理手段とを備える、ディスプレイ装置。
【請求項４】
前記音声処理装置を含む複数の機器が接続可能であり、
前記複数機器の中から１つの機器を選択する選択手段と、
前記選択手段が前記音声処理装置を選択しているか否かを判断する選択判断手段とをさらに備え、
前記選択手段が前記音声処理装置を選択していると判断された場合、前記映像モード設定手段が、前記音声処理装置に設定された音声モードに対応する映像モードに設定し、
前記選択手段が前記音声処理装置を選択していないと判断された場合、前記映像モード設定手段が、前記音声処理装置に設定された音声モードに対応する映像モードに設定しない、請求項３に記載のディスプレイ装置。
【請求項５】
前記通知受信手段によって受信された前記音声モード設定通知に含まれる音声モードを記憶する音声モード記憶手段をさらに備え、
前記選択手段が前記音声処理装置を選択していないと判断されたために、前記映像モード設定手段が、前記音声処理装置に設定された音声モードに対応する映像モードに設定しなかった後、前記選択手段が前記音声処理装置を選択する場合に、前記映像モード設定手段が、前記音声モード記憶手段に記憶された音声モードに対応する映像モードに設定する、請求項４に記載のディスプレイ装置。
【請求項６】
音声データに音声処理を実行する音声処理装置と、映像データを表示するディスプレイ装置とを備え、
前記ディスプレイ装置が、複数の映像モードの中からユーザ操作によって選択された映像モードに設定する映像モード設定手段と、
前記映像モード設定手段によって設定された映像モードに基づいて映像データに映像処理を実行する映像処理手段と、
前記映像モード設定手段によって設定された映像モードを含む映像モード設定通知を前記音声処理装置に送信する通知送信手段とを有し、
前記音声処理装置が、前記ディスプレイ装置に設定可能な１又は複数の映像モードに対応付けて音声モードを記憶する音声モード記憶部と、
前記通知送信手段から前記映像モード設定通知を受信する通知受信手段と、
前記通知受信手段によって受信された前記映像モード設定通知に含まれる映像モードに対応する音声モードを前記音声モード記憶部から選択し、選択された音声モードに設定する音声モード設定手段と、
前記音声モード設定手段によって設定された音声モードに基づいて音声データに音声処理を実行する音声処理手段とを有する、コンテンツ再生システム。
【請求項７】
請求項６に記載のコンテンツ再生システムに使用されるディスプレイ装置であって、
複数の映像モードの中からユーザ操作によって選択された映像モードに設定する映像モード設定手段と、
前記映像モード設定手段によって設定された映像モードに基づいて映像データに映像処理を実行する映像処理手段と、
前記映像モード設定手段によって設定された映像モードを含む映像モード設定通知を前記音声処理装置に送信する通知送信手段とを備える、ディスプレイ装置。
【請求項８】
請求項６に記載のコンテンツ再生システムに使用される音声処理装置であって、
前記ディスプレイ装置に設定可能な１又は複数の映像モードに対応付けて音声モードを記憶する音声モード記憶部と、
前記通知送信手段から前記映像モード設定通知を受信する通知受信手段と、
前記通知受信手段によって受信された前記映像モード設定通知に含まれる映像モードに対応する音声モードを前記音声モード記憶部から選択し、選択された音声モードに設定する音声モード設定手段と、
前記音声モード設定手段によって設定された音声モードに基づいて音声データに音声処理を実行する音声処理手段とを備える、音声処理装置。
【請求項９】
映像データを前記ディスプレイ装置に送信する映像送信手段と、
前記映像送信手段が前記ディスプレイ装置に映像データを送信しているか否かを判断する送信判断手段とをさらに備え、
前記映像送信手段が前記ディスプレイ装置に映像データを送信していると判断された場合、前記音声モード設定手段が、前記ディスプレイ装置に設定された映像モードに対応する音声モードに設定し、
前記映像送信手段が前記ディスプレイ装置に映像データを送信していないと判断された場合、前記音声モード設定手段が、前記ディスプレイ装置に設定された映像モードに対応する音声モードに設定しない、請求項８に記載の音声処理装置。
【請求項１０】
前記ディスプレイ装置が、前記音声処理装置を含む複数の機器が接続可能であり、前記複数機器の中から１つの機器を選択する選択手段をさらに有し、
前記音声処理装置が、前記選択手段が前記音声処理装置を選択しているか否かを判断する選択判断手段をさらに有し、
前記選択手段が前記音声処理装置を選択していると判断された場合、前記音声モード設定手段が、前記映像処理装置に設定された映像モードに対応する音声モードに設定し、
前記選択手段が前記音声処理装置を選択していないと判断された場合、前記音声モード設定手段が、前記音声処理装置に設定された映像モードに対応する音声モードに設定しない、請求項８に記載の音声処理装置。
【請求項１１】
請求項２、８〜１０のいずれかに記載の音声処理装置の各手段をコンピュータに実行させる音声処理装置の動作プログラム。
【請求項１２】
請求項３〜５、７のいずれかに記載のディスプレイ装置の各手段をコンピュータに実行させるディスプレイ装置の動作プログラム。
【発明の詳細な説明】
【技術分野】
【０００１】
本発明は、音声処理装置及びディスプレイ装置を備えるコンテンツ再生システムに関する。
【背景技術】
【０００２】
ＤＶＤプレーヤと、ＡＶアンプと、ディスプレイ装置とを備えるコンテンツ再生システムが利用されている。ＤＶＤプレーヤは、コンテンツデータを再生し、ＡＶアンプに送信する。ＡＶアンプは、コンテンツデータに含まれる音声データに音声処理を実行し、スピーカーに出力する。また、ＡＶアンプは、映像データをディスプレイ装置に送信する。ディスプレイ装置は、ＡＶアンプから供給された映像データに映像処理を実行し、表示する。
【０００３】
ＡＶアンプには複数の音声モード（例えばリスニングモード、サラウンドモードと呼ばれており、映画モード、ゲームモード、音楽モード等）が設けられており、ユーザ操作によって１つの音声モードが選択可能になっている。ＡＶアンプは、選択された音声モードに対して予め設定されている音声処理（遅延処理、音量調整処理、イコライザ処理等）を音声データに実行する。
【０００４】
また、ディスプレイ装置には複数の映像モード（例えば、映画モード、ゲームモード、スポーツモード等）が設けられており、ユーザ操作によって１つの映像モードが選択可能になっている。ディスプレイ装置は、選択された映像モードに対して予め設定されている各値（明るさ、色合い、解像度等）に映像データを調整する。
【０００５】
上記のシステムにおいては、ユーザ操作によってＡＶアンプの音声モードを選択すると共に、ユーザ操作によってディスプレイ装置の映像モードを選択する必要があり、非常に煩雑であるという問題がある。
【０００６】
【特許文献１】特開平７−１２３３３９号公報
【発明の開示】
【発明が解決しようとする課題】
【０００７】
本発明は上記従来の課題を解決するためになされたものであり、その目的は、ＡＶアンプの音声モードの設定と、ディスプレイ装置の映像モードの設定とを簡易化できるコンテンツ再生システムを提供することである。
【課題を解決するための手段】
【０００８】
本発明の好ましい実施形態によるコンテンツ再生システムは、音声データに音声処理を実行する音声処理装置と、映像データを表示するディスプレイ装置とを備えう。前記音声処理装置が、複数の音声モードの中からユーザ操作によって選択された音声モードに設定する音声モード設定手段と、前記音声モード設定手段によって設定された音声モードに基づいて音声データに音声処理を実行する音声処理手段と、前記音声モード設定手段によって設定された音声モードを含む音声モード設定通知を前記ディスプレイ装置に送信する通知送信手段とを有する。前記ディスプレイ装置が、前記音声処理装置に設定可能な１又は複数の音声モードに対応付けて映像モードを記憶する映像モード記憶部と、前記通知送信手段から前記音声モード設定通知を受信する通知受信手段と、前記通知受信手段によって受信された前記音声モード設定通知に含まれる音声モードに対応する映像モードを前記映像モード記憶部から選択し、選択された映像モードに設定する映像モード設定手段と、前記映像モード設定手段によって設定された映像モードに基づいて映像データに映像処理を実行する映像処理手段とを有する。
【０００９】
ユーザ操作によって音声処理装置の音声モードが設定されると、音声モードがディスプレイ装置に通知される。ディスプレイ装置は、通知された音声モードに対応する映像モードに設定する。従って、ユーザ操作によって映像モードを選択することなく、ディスプレイ装置に適切な映像モードを設定することができる。
【００１０】
好ましくは、前記ディスプレイ装置は、前記音声処理装置を含む複数の機器が接続可能であり、前記複数機器の中から映像データを受信する機器を選択する選択手段と、前記選択手段が前記音声処理装置を選択しているか否かを判断する選択判断手段とをさらに備える。前記選択手段が前記音声処理装置を選択していると判断された場合、前記映像モード設定手段が、前記音声処理装置に設定された音声モードに対応する映像モードに設定し、前記選択手段が前記音声処理装置を選択していないと判断された場合、前記映像モード設定手段が、前記音声処理装置に設定された音声モードに対応する映像モードに設定しない。
【００１１】
この場合、選択手段が音声処理装置以外の機器を選択し、ディスプレイ装置が音声処理装置以外の機器からの映像データを表示している場合には、音声処理装置に設定された音声モードに関連づけて映像モードを設定しないので、ユーザに違和感を与えることを防止できる。
【００１２】
好ましくは、前記ディスプレイ装置は、前記通知受信手段によって受信された前記音声モード設定通知に含まれる音声モードを記憶する音声モード記憶手段をさらに備え、前記選択手段が前記音声処理装置を選択していないと判断されたために、前記映像モード設定手段が、前記音声処理装置に設定された音声モードに対応する映像モードに設定しなかった後、前記選択手段が前記音声処理装置を選択する場合に、前記映像モード設定手段が、前記音声モード記憶手段に記憶された音声モードに対応する映像モードに設定する。
【００１３】
この場合、後から選択手段が音声処理装置を選択し、ディスプレイ装置が音声処理装置からの映像データを表示する際には、音声処理装置に設定された音声モードに関連づけて映像モードを設定することができる。
【００１４】
本発明の別の好ましい実施形態によるコンテンツ再生システムは、音声データに音声処理を実行する音声処理装置と、映像データを表示するディスプレイ装置とを備える。前記ディスプレイ装置が、複数の映像モードの中からユーザ操作によって選択された映像モードに設定する映像モード設定手段と、前記映像モード設定手段によって設定された映像モードに基づいて映像データに映像処理を実行する映像処理手段と、前記映像モード設定手段によって設定された映像モードを含む映像モード設定通知を前記音声処理装置に送信する通知送信手段とを有する。  前記音声処理装置が、前記ディスプレイ装置に設定可能な１又は複数の映像モードに対応付けて音声モードを記憶する音声モード記憶部と、前記通知送信手段から前記映像モード設定通知を受信する通知受信手段と、前記通知受信手段によって受信された前記映像モード設定通知に含まれる映像モードに対応する音声モードを前記音声モード記憶部から選択し、選択された音声モードに設定する音声モード設定手段と、前記音声モード設定手段によって設定された音声モードに基づいて音声データに音声処理を実行する音声処理手段とを有する。
【００１５】
ユーザ操作によってディスプレイ装置の映像モードが設定されると、映像モードが音声処理装置に通知される。音声処理装置は、通知された映像モードに対応する音声モードに設定する。従って、ユーザ操作によって音声モードを選択することなく、音声処理装置に適切な音声モードを設定することができる。
【００１６】
好ましくは、前記音声処理装置は、映像データを前記ディスプレイ装置に送信する映像送信手段と、前記映像送信手段が前記ディスプレイ装置に映像データを送信しているか否かを判断する送信判断手段とをさらに備え、前記映像送信手段が前記ディスプレイ装置に映像データを送信していると判断された場合、前記音声モード設定手段が、前記ディスプレイ装置に設定された映像モードに対応する音声モードに設定し、前記映像送信手段が前記ディスプレイ装置に映像データを送信していないと判断された場合、前記音声モード設定手段が、前記ディスプレイ装置に設定された映像モードに対応する音声モードに設定しない。
【００１７】
この場合、音声処理装置が映像データをディスプレイ装置に送信していない場合には、映像処理装置に設定された映像モードに関連づけて音声モードを設定しないので、ユーザに違和感を与えることを防止できる。
【００１８】
好ましくは、前記音声処理装置は、前記通知受信手段によって受信された前記映像モード設定通知に含まれる映像モードを記憶する映像モード記憶手段をさらに備え、前記映像送信手段が前記ディスプレイ装置に映像データを送信していないと判断されたために、前記音声モード設定手段が、前記ディスプレイ装置に設定された映像モードに対応する音声モードに設定しなかった後、前記映像送信手段が前記ディスプレイ装置に映像データを送信していると判断された場合に、前記音声モード設定手段が、前記映像モード記憶手段によって記憶された映像モードに対応する音声モードに設定する。
【００１９】
好ましくは、前記ディスプレイ装置が、前記音声処理装置を含む複数の機器が接続可能であり、前記複数機器の中から映像データを受信する機器を選択する選択手段をさらに有し、前記音声処理装置が、前記選択手段が前記音声処理装置を選択しているか否かを判断する選択判断手段をさらに有する。前記選択手段が前記音声処理装置を選択していると判断された場合、前記音声モード設定手段が、前記映像処理装置に設定された映像モードに対応する音声モードに設定し、前記選択手段が前記音声処理装置を選択していないと判断された場合、前記音声モード設定手段が、前記音声処理装置に設定された映像モードに対応する音声モードに設定しない。
【００２０】
この場合、選択手段が音声処理装置以外の機器を選択し、ディスプレイ装置が音声処理装置以外の機器からの映像データを表示している場合には、音声処理装置は、ディスプレイ装置に設定された映像モードに関連づけて音声モードを設定しないので、ユーザに違和感を与えることを防止できる。
【発明の効果】
【００２１】
ユーザ操作によって音声処理装置の音声モードが設定されると、音声モードがディスプレイ装置に通知される。ディスプレイ装置は、通知された音声モードに対応する映像モードに設定する。従って、ユーザ操作によって映像モードを選択することなく、ディスプレイ装置に適切な映像モードを設定することができる。
【発明を実施するための最良の形態】
【００２２】
以下、本発明の好ましい実施形態によるＤＶＤプレーヤ、ＡＶアンプ及びディスプレイ装置を備えるコンテンツ再生システムついて、図面を参照して具体的に説明するが、本発明はこれらの実施形態には限定されない。本例において、コンテンツデータは、映像（画像も含む、以下同様。）データおよび／または音声データを含む。
【００２３】
図１は、ＤＶＤプレーヤ１０、ＡＶアンプ２０及びディスプレイ装置３０を示すブロック図である。ＤＶＤプレーヤ１０、ＡＶアンプ２０及びディスプレイ装置３０は、例えばＨＤＭＩ規格に準拠しており、ＨＤＭＩケーブルを介して相互に接続されている。
【００２４】
［ＤＶＤプレーヤ１０の構成］
ＤＶＤプレーヤ１０は、再生部１１と、ＨＤＭＩ送信部１３と、システム制御部１４と、操作表示部１５と、メモリ１６と、コネクタ部１７とを有している。
【００２５】
再生部１１は、例えばＤＶＤディスク（以下、ＤＶＤという。）が挿入された時、ＤＶＤに記録されている映像データ及び音声データを読み出して、デコードし、ＨＤＭＩ送信部１３に供給する。また、再生部１１は、ＣＤディスク（以下、ＣＤという。）が挿入された時、ＣＤに記録されている音声データを読み出して、デコードし、ＨＤＭＩ送信部１３に供給する。再生部１１は、図示しない光ピックアップ、サーボ回路、ＭＰＥＧデコーダ等を含む。
【００２６】
ＨＤＭＩ送信部１３は、再生部１１から供給された映像データ及び／又は音声データを、システム制御部１４からのコマンドにより、ＨＤＭＩ規格のデータ（以下、ＨＤＭＩデータ）に変換する。ＨＤＭＩ送信部１３は、ＨＤＭＩデータを、コネクタ部１７を介してＡＶアンプ２０に送信する。従って、ＨＤＭＩ送信部１３から送信されるＨＤＭＩデータには、再生部１１でＤＶＤが再生される場合には映像データ及び音声データが含まれ、ＣＤが再生される場合には映像データが含まれず、音声データのみが含まれている。なお、ＨＤＭＩデータに映像データが含まれないとは、ＨＤＭＩデータの映像データの領域に無信号を含むことを意味する。
【００２７】
システム制御部１４は、内蔵又は接続されたメモリに格納されているＤＶＤプレーヤの動作プログラムに基づいて、再生部１１、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２８】
システム制御部１４は、ＣＥＣラインを介してＡＶアンプ２０のシステム制御部２３に接続され、システム制御部２３とコマンドおよび／またはデータを送受信する。
【００２９】
システム制御部１４は、再生部１４で再生されるコンテンツに映像データが含まれるか否か（例えば再生されるディスクがＤＶＤかＣＤか）を周知の技術によって判別し、ＣＥＣラインを介して、ＡＶアンプ２０のシステム制御部２３にその情報を送信する。詳細には、システム制御部１４は、再生部１１で再生されるディスクがＣＤからＤＶＤに変更されたことを判断したとき、コンテンツに映像データを含むことをシステム制御部２３に通知する。一方、システム制御部１４は、再生部１１で再生されるディスクがＤＶＤからＣＤに変更されたことを判断したとき、コンテンツに映像データを含まないことをシステム制御部２３に通知する。
【００３０】
［ＡＶアンプの構成］
ＡＶアンプ２０は、ＨＤＭＩ受信部２１と、ＨＤＭＩ送信部２２と、システム制御部２３と、操作表示部２４と、メモリ２５と、音声処理部２６と、コネクタ部２７、２８とを有している。
【００３１】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。なお、再生部１１でＣＤが再生される場合には、ＨＤＭＩデータに映像データが含まれないので、ＨＤＭＩデータから元の音声データが生成され音声処理部２６に供給されるが、映像データはＨＤＭＩ送信部２２に供給されない。
【００３２】
ＨＤＭＩ送信部２２は、ＨＤＭＩ受信部２１から供給された映像データ、および、必要に応じて音声処理部２６から供給された音声データを、ＨＤＭＩデータに変換する。ＨＤＭＩ送信部２２は、コネクタ部２８を介してディスプレイ装置３０にＨＤＭＩデータを送信する。なお、再生部１１でＣＤが再生される場合には、ＨＤＭＩ受信部２１から映像データが供給されないので、ＨＤＭＩ送信部２２は、音声処理部２６から供給された音声データのみを含むＨＤＭＩデータをディスプレイ装置３０に送信する、もしくは、ＨＤＭＩデータをディスプレイ装置３０に送信しない。
【００３３】
音声処理部２６は、ＨＤＭＩ受信部２１から供給された音声データに対して、例えば、信号処理、遅延処理、イコライザ処理、音量調整処理、増幅処理、Ｄ／Ａ変換等の音声処理を実行し、外部に接続されたスピーカー６０に音声信号を供給する。また、必要に応じて、音声処理部２６は、音声データをＨＤＭＩ送信部２２に供給する。
【００３４】
ＡＶアンプ２０には複数の音声モード（例えば、音声モード１〜音声モード７）が設けられており、ユーザ操作によって１つの音声モードが選択可能になっている。音声処理部２６は、選択された音声モードに対して予め設定されている音声処理を音声データに対して実行する。
【００３５】
システム制御部２３は、内蔵又は接続されたメモリ２５に記憶されているＡＶアンプの動作プログラムに基づいて、ＨＤＭＩ受信部２１、ＨＤＭＩ送信部２２、操作表示部２４、音声処理部２６等を制御するものであり、例えば、マイクロコンピュータやＣＰＵ等である。システム制御部２３は、操作表示部２４からの操作入力または各部からの制御信号およびデータに基づいて各種処理を実行する。
【００３６】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００３７】
システム制御部２３は、ユーザ操作によって音声モードが選択されたとき、選択された音声モードに設定し（すなわち音声モードを設定するとは音声モードをメモリ２５に記憶しておくことをいう。）、音声処理部２６に設定された音声モードに基づいて音声データに音声処理を実行するように制御する。また、システム制御部２３は、ユーザ操作によって音声モードが選択されたとき、ＣＥＣラインを介してディスプレイ装置３０のシステム制御部３３に、選択された音声モードを含む音声モード設定通知を送信する。ディスプレイ装置３０のシステム制御部３３に、ＡＶアンプ２０から通知された音声モードに基づいて映像モードを自動的に選択させるためである。
【００３８】
また、システム制御部２３は、ＣＥＣラインを介してディスプレイ装置３０のシステム制御部３３から映像モードを含む映像モード設定通知を受信したとき、受信した映像モードに基づいて音声モードを自動的に選択及び設定する。
【００３９】
詳細には、メモリ２５には図２（ａ）に示す音声モードテーブルが格納されている。音声モードテーブルは、ディスプレイ装置３０に設定可能な１又は複数の映像モードに対応付けてＡＶアンプ２０に設定すべき音声モードが記憶されている。従って、例えばディスプレイ装置３０のシステム制御部３３から映像モード３を含む映像モード設定通知を受信したとき、システム制御部２３は映像モード３に対応する音声モード３を選択して設定する。なお、音声モードテーブル内の音声モードは、ＡＶアンプ２０の製造者によって予め登録されていてもよく、ユーザ操作によって適宜設定又は変更されてもよい。
【００４０】
好ましくは、ディスプレイ装置３０のシステム制御部３３から映像モード設定通知を受信したとき、システム制御部２３は、ディスプレイ装置３０に映像データを送信しているか否かを判断し、映像データを送信している場合のみ、受信した映像モードに対応する音声モードに自動的に設定する。ディスプレイ装置３０に映像データを送信していない場合、ディスプレイ装置３０の映像モードとＡＶアンプ２０の音声モードとを関連付ける必要性がないからである。つまり、ＤＶＤプレーヤ１０でＣＤが再生されており、ＡＶアンプ２０がディスプレイ装置３０には映像データを送信していないときに、ディスプレイ装置３０の映像モードに応じてＡＶアンプ２０の音声モードが変更されてしまうと、ユーザに違和感を与えるからである。なお、ディスプレイ装置３０に映像データを送信しているか否かは、ＤＶＤプレーヤ１０のシステム制御部１４からＣＥＣラインを介して送信される、コンテンツデータに映像データを含むか否かの通知に基づいて判断することができる。
【００４１】
さらに好ましくは、システム制御部２３は、ディスプレイ装置３０のシステム制御部３３から受信した映像モードをメモリ２５に記憶しておき、ＡＶアンプ２０からディスプレイ装置３０に映像データを送信するようになったときに、メモリ２５に記憶しておいた映像モードに対応する音声モードに自動的に設定する。また、ＡＶアンプ２０からディスプレイ装置３０に映像データを送信しないようになったときに、映像モードに対応する音声モードから、ユーザ操作によって設定されていた音声モードに再び設定する。ユーザ操作によって設定されていた音声モードも同様にメモリ２５に記憶されている。
【００４２】
［ディスプレイ装置３０の構成］
ディスプレイ装置３０は、ＨＤＭＩ受信部３１と、表示部３２と、システム制御部３３と、メモリ３４と、操作部３５と、映像処理部３６と、セレクタ部３７と、コネクタ部とを有する。コネクタ部は、複数のコネクタ部３８，３８ｂ，３８ｃを含み、複数機器が接続可能になっている。
【００４３】
例えば、コネクタ部３８にはＨＤＭＩケーブルを介してＡＶアンプ２０が、コネクタ部３８ｂにはゲーム機４０が、コネクタ部３８ｃにはセットトップボックス５０がそれぞれ接続されている。セレクタ部３７は、コネクタ部３８，３８ｂ，３８ｃに接続された各機器（ＡＶアンプ２０、ゲーム機４０、セットトップボックス５０）から供給される映像データの中から表示すべき映像データを一つ選択し、ＨＤＭＩ受信部３１又は映像処理部３６に供給する。つまり、セレクタ部３７は、ＡＶアンプ２０、ゲーム機４０、セットトップボックス５０が接続されたコネクタ部３８，３８ｂ，３８ｃから１つのコネクタ部を選択する。
【００４４】
ＨＤＭＩ受信部３１は、ＡＶアンプ２０のＨＤＭＩ送信部２２から送信されたＨＤＭＩデータを、セレクタ部３７を介して受信して、ＨＤＭＩデータから元の映像データを生成し、映像処理部３６に供給する。
【００４５】
映像処理部３６は、セレクタ部３７又はＨＤＭＩ受信部３１から供給された映像データに映像処理を実行し、表示部３２に映像を表示させる。例えば、映像処理部３６は、映像データの明るさ、色合い、解像度等を調整する。ディスプレイ装置には複数の映像モード（例えば、映像モード１〜映像モード５）が設けられており、ユーザ操作によって１つの映像モードが選択可能になっている。映像処理部３６は、選択された映像モードに対して予め設定されている各値（明るさ、色合い、解像度等）に映像データを調整する。
【００４６】
表示部３２は、映像処理部３６から映像データが供給され、当該映像データに基づいて映像を表示するものであり、例えば、ＬＣＤまたはＰＤＰ等である。
【００４７】
システム制御部３３は、内蔵又は接続されたメモリ３４に格納されたディスプレイ装置の動作プログラムに基づいて、ＨＤＭＩ受信部３１、表示部３２、映像処理部３６等を制御するものであり、例えば、マイクロコンピュータやＣＰＵ等である。システム制御部３３は、操作部３５からの操作入力または各部からの制御信号およびデータに基づいて各種処理を実行する。
【００４８】
システム制御部３３は、ユーザ操作によって映像モードが選択されたとき、選択された映像モードを設定し（設定とは選択された映像モードをメモリ３４に記憶することをいう。）、映像処理部３６に設定された映像モードに基づいて映像データに映像処理を実行するように指示する。また、システム制御部３３は、ユーザ操作によって映像モードが選択されたとき、ＣＥＣラインを介してＡＶアンプ２０のシステム制御部２３に、選択された映像モードを含む映像モード設定通知を送信する。ＡＶアンプ２０のシステム制御部２３に、ディスプレイ装置３０から通知された映像モードに基づいて音声モードを自動的に設定させるためである。
【００４９】
また、システム制御部３３は、ＣＥＣラインを介してＡＶアンプ２０のシステム制御部２３から音声モード設定通知を受信したとき、受信した音声モードに基づいて映像モードを自動的に選択及び設定する。
【００５０】
詳細には、メモリ３４には図２（ｂ）に示す映像モードテーブルが格納されている。映像モードテーブルは、ＡＶアンプ２０に設定可能な１又は複数の音声モードに対応付けてディスプレイ装置３０に設定すべき映像モードが記憶されている。従って、例えばＡＶアンプ２０のシステム制御部２３から音声モード６を含む音声モード設定通知を受信したとき、システム制御部３３は音声モード６に対応する映像モード３を選択して設定する。なお、映像モードテーブル内の映像モードは、ディスプレイ装置の製造者によって予め登録されていてもよく、ユーザ操作によって適宜設定又は変更されてもよい。
【００５１】
好ましくは、ＡＶアンプ２０のシステム制御部２３から音声モード設定通知を受信したとき、システム制御部３３は、セレクタ部３７によってＡＶアンプ２０（詳細にはＡＶアンプ２０が接続されているコネクタ３８）が選択されているか否かを判断し、ＡＶアンプ２０を選択している場合のみ、受信した音声モードに対応する映像モードに自動的に設定する。セレクタ部３７によってＡＶアンプ２０が選択されていない場合、ディスプレイ装置３０の映像モードとＡＶアンプ２０の音声モードとを関連付ける必要性がないからである。つまり、ディスプレイ装置３０がＡＶアンプ２０からの映像データを表示しておらず、他の機器（ゲーム機４０又はセットトップボックス５０）からの映像データを表示している場合に、ＡＶアンプ２０の音声モードに応じてディスプレイ装置３０の映像モードが変更されてしまうと、ユーザに違和感を与えるからである。
【００５２】
さらに好ましくは、システム制御部２３は、ＡＶアンプ２０のシステム制御部２３から受信した音声モードを、メモリ３４に格納されている図２（ｃ）に示すセレクタテーブルに記憶する。セレクタテーブルは、コネクタ部３８〜３８ｃ（すなわち、ＡＶアンプ２０，ゲーム機４０，セットトップボックス５０）に対応付けて各機器から受信した音声モードが記憶されている。そして、セレクタ部３７の選択が他の機器からＡＶアンプ２０に変更されたときに、システム制御部３３は、セレクタテーブルに記憶しておいたＡＶアンプ２０の音声モードに対応する映像モードに自動的に設定する。また、セレクタ部３７の選択がＡＶアンプ２０からゲーム機４０に変更になったときに、システム制御部３３は、セレクタテーブルに記憶しておいたゲーム機４０の音声モードに対応する映像モードに自動的に設定する。なお、セレクタ部３７によって選択された機器の音声モードがセレクタテーブルに記憶されていない場合に、ユーザ操作によって設定されていた音声モードに再び設定すればよい。ユーザ操作によって設定されていた音声モードも同様にメモリ３７に記憶されている。
【００５３】
［動作］
以下、本発明の動作を図３〜図８を参照して、説明する。
［ＤＶＤプレーヤ１０の動作］
図３は、ＤＶＤプレーヤ１０のシステム制御部１４の処理を示すフローチャートである。システム制御部１４は、再生部１１で再生されるコンテンツデータに映像データが含まれるか否かを判断する（Ｓ１）。つまり、システム制御部１４は、再生部１１によってＤＶＤが再生されているか、ＣＤが再生されているかを判断する。
【００５４】
再生部１１でＤＶＤが再生される場合（Ｓ１でＹＥＳ）、システム制御部１４はコンテンツデータに映像データを含む旨の通知を、ＣＥＣラインを介してＡＶアンプ２０のシステム制御部２３に送信する（Ｓ２）。一方、再生部１１でＣＤが再生される場合（Ｓ１でＮＯ）、システム制御部１４はコンテンツデータに映像データを含まない旨の通知を、ＣＥＣラインを介してＡＶアンプ２０のシステム制御部２３に送信する（Ｓ２）。
【００５５】
［ユーザ操作によってＡＶアンプ２０の音声モードが選択される場合］
図４は、ＡＶアンプ２０のシステム制御部２３の処理を示す。図５、図６は、ディスプレイ装置３０のシステム制御部３３の処理を示す。図４に示すように、システム制御部２３は、ユーザ操作によって音声モード１〜音声モード７の中から１つの音声モードが選択されたかを判断している（Ｓ１１）。音声モード（例えば、音声モード２）が選択された場合（Ｓ１１でＹＥＳ）、システム制御部２３は、選択された音声モード２をメモリ２５に記憶することによって音声モード２を設定し、設定された音声モード２に基づいて音声処理を実行するように音声処理部２６に指示する（Ｓ１２）。続いて、システム制御部２３は、ＣＥＣラインを介して、ディスプレイ装置３０のシステム制御部３３に、設定された音声モード２を含む音声モード設定通知を送信する（Ｓ１３）。
【００５６】
図５に示すように、ディスプレイ装置３０のシステム制御部３３は、ＡＶアンプ２０のシステム制御部２３から音声モード設定通知を受信したか否かを監視している（Ｓ２１）。音声モード設定通知を受信した場合（Ｓ２１でＹＥＳ）、システム制御部３３は、受信した音声モード設定通知に含まれる音声モード２を、音声モード設定通知を送信した機器（ＡＶアンプ２０）と関連付けて、図２（ｃ）のセレクタテーブルに登録する（Ｓ２２）。なお、既にＡＶアンプ２０に関連づけて音声モードが記憶されている場合は、記憶されている音声モードを消去して、受信した音声モードをＡＶアンプ２０に関連づけて新たに記憶する。従って、ＡＶアンプ２０に現在設定されている１つの音声モードのみがセレクタテーブルに記憶される。
【００５７】
続いて、システム制御部３３は、音声モード設定通知を送信した機器（ＡＶアンプ２０）が現在セレクタ部３７によって選択されている機器であるか否かを判断する（Ｓ２３）。ＡＶアンプ２０がセレクタ部３７によって選択されていない場合（Ｓ２３でＮＯ）、システム制御部３３は、音声モード設定通知に含まれる音声モード２に対応する映像モードに設定せずに、Ｓ２１に戻る。セレクタ部３７がゲーム機４０又はセットトップボックス５０を選択しており、ディスプレイ装置３０がゲーム機４０又はセットトップボックス５０からの映像データを表示しているので、ＡＶアンプ２０に設定された音声モード２に関連づけて映像モードを設定すると、ユーザに違和感を与えるからである。
【００５８】
一方、ＡＶアンプ２０がセレクタ部３７によって選択されている場合（Ｓ２３でＹＥＳ）、システム制御部３３は、音声モード設定通知に含まれる音声モード２に対応する映像モードに設定する（Ｓ２４）。詳細には、システム制御部３３は、図２（ｂ）の映像モードテーブルを参照し、音声モード２に関連付けて記憶されている映像モード２を選択し、メモリ３４に映像モード２を記憶することにより設定し、映像処理部３６に映像モード２に基づいて映像処理を実行するように指示する。従って、セレクタ部３７がＡＶアンプ２０を選択しており、ディスプレイ装置３０がＡＶアンプ２０からの映像データを表示している場合、ＡＶアンプ２０に設定された音声モード２に関連づけて映像モードを自動的に設定するこができ、映像処理部３６が最適な映像処理を実行することができる。
【００５９】
次に、Ｓ２３でＮＯと判断された後、ユーザ操作によってセレクタ部３７の選択がＡＶアンプ２０に変更された場合を説明する。図６に示すように、システム制御部３３は、ユーザ操作によってセレクタ部３７の選択が変更されたか否かを監視している（Ｓ２５）。セレクタ部３７の選択がＡＶアンプ２０に変更されると（Ｓ２５でＹＥＳ）、システム制御部３３は、セレクタ部３７が新たに選択する機器に関連づけて図３のセレクタテーブルに音声モードが記憶されているか否かを判断する（Ｓ２６）。セレクタテーブルに音声モードが記憶されていない場合（Ｓ２６でＮＯ）、Ｓ２５に戻る。
【００６０】
一方、セレクタテーブルに音声モード（例えば、音声モード２）が記憶されている場合（Ｓ２６でＹＥＳ）、システム制御部３３は、セレクタテーブルに記憶されている音声モード２に対応する映像モードに設定する（Ｓ２７）。詳細には、システム制御部３３は、図２（ｂ）の映像モードテーブルを参照し、音声モード２に関連付けて記憶されている映像モード２を選択し、メモリ３４に映像モード２を記憶することにより設定し、映像処理部３６に映像モード２に基づいて映像処理を実行するように指示する。従って、セレクタ部３７の選択がＡＶアンプ２０に変更されたときに、ＡＶアンプ２０に設定されている音声データ２に関連づけて映像データを自動的に設定することができ、映像処理部３６が最適な映像処理を実行することができる。
【００６１】
なお、Ｓ２５において、セレクタ部３７の選択がゲーム機４０やセットトップボックス５０に変更された場合も、上記と同様である。
【００６２】
［ユーザ操作によってディスプレイ装置３０の映像モードが選択される場合］
図７は、ディスプレイ装置３０のシステム制御部３３の処理を示す。図８は、ＡＶアンプ２０のシステム制御部２３の処理を示す。図７に示すように、システム制御部３３は、ユーザ操作によって映像モード１〜映像モード５の中から１つの映像モードが選択されたか否かを判断している（Ｓ２８）。映像モード（例えば、映像モード２）が選択された場合（Ｓ２８でＹＥＳ）、システム制御部３３は、選択された映像モード２をメモリ３４に記憶することによって映像モード２を設定し、映像処理部３６に設定された映像モード２に基づいて映像処理を実行するように指示する（Ｓ２９）。続いて、システム制御部３３は、ＣＥＣラインを介して、ＡＶアンプ２０のシステム制御部２３に、設定された映像モード２を含む映像モード設定通知を送信する（Ｓ３０）。
【００６３】
図８に示すように、ＡＶアンプ２０のシステム制御部２３は、ディスプレイ装置３０のシステム制御部３３から映像モード設定通知を受信したか否かを監視している（Ｓ１３）。映像モード設定通知を受信した場合（Ｓ１３でＹＥＳ）、システム制御部２３は、受信した映像モード設定通知に含まれる映像モード２を、メモリ２５内に記憶する（Ｓ１４）。なお、既にメモリ２５内にディスプレイ装置３０の映像モードが記憶されている場合、記憶されている映像モードを消去して、受信した映像モードを記憶する。従って、ディスプレイ装置３０に現在設定されている１つの映像モードのみがメモリ２５に記憶される。
【００６４】
続いて、システム制御部２３は、現在ディスプレイ装置３０に映像データを送信しているか否かを判断する（Ｓ１５）。現在ディスプレイ装置３０に映像データを送信していない場合（Ｓ１５でＮＯ）、システム制御部２３は、映像モード設定通知に含まれる映像モード２に対応する音声モードに設定せずに、ユーザ操作によって設定された音声モードを維持する（Ｓ１７）。ＡＶアンプ２０がディスプレイ装置３０に映像データを送信しておらず、ディスプレイ装置３０がＡＶアンプ２０からの映像データを表示していないので、ディスプレイ装置３０に設定された映像モード２に関連づけて音声モードを設定すると、ユーザに違和感を与えるからである。
【００６５】
一方、現在ディスプレイ装置３０に映像データを送信している場合（Ｓ１５でＹＥＳ）、システム制御部２３は、映像モード設定通知に含まれる映像モード２に対応する音声モードに設定する（Ｓ１６）。詳細には、システム制御部２３は、図２（ａ）の音声モードテーブルを参照し、映像モード２に関連付けて記憶されている音声モード２を選択し、メモリ２５に音声モード２を記憶することにより設定し、音声処理部２６に音声モード２に基づいて音声処理を実行するように指示する。従って、ＡＶアンプ２０がディスプレイ装置３０に映像データを送信し、ディスプレイ装置３０がＡＶアンプ２０からの映像データを表示する場合に、ディスプレイ装置３０に設定された映像モード２に関連づけて音声モード２を自動的に設定することにより、音声処理部２６が最適な音声処理を実行することができる。
【００６６】
次に、Ｓ１５でＮＯと判断された後、ＡＶアンプ２０が映像データをディスプレイ装置３０に送信するようになったときの処理を説明する。Ｓ１３でＮＯを経由して、Ｓ１５で現在ディスプレイ装置３０に映像データを送信していると判断される（Ｓ１５でＹＥＳ）。従って、システム制御部２３は、メモリ２５に記憶されている映像モード２に対応する音声モードに設定する（Ｓ１６）。詳細には、システム制御部２３は、図２（ａ）の音声モードテーブルを参照し、映像モード２に関連付けて記憶されている音声モード２を選択し、メモリ２５に音声モード２を記憶することにより設定し、音声処理部２６に音声モード２に基づいて音声処理を実行するように指示する。従って、映像モード設定通知を受信したときはディスプレイ装置３０に映像データを送信していなくても、その後、ディスプレイ装置３０に映像データを送信するようになったときに、ディスプレイ装置３０に設定された映像データ２に関連づけて音声データを自動的に設定することができる。
【００６７】
一方、映像モード設定通知を受信したときに映像モード２に関連づけて音声モードを設定した後に、ＡＶアンプ２０がディスプレイ装置３０に映像データを送信しなくなると（Ｓ１３でＮＯ，Ｓ１５でＮＯ）、システム制御部２３は、ユーザ操作によって設定された音声モードに再度設定する（Ｓ１７）。なお、ユーザ操作によって設定された音声モードもメモリ２５に記憶されている。
【００６８】
以上のように、上記の実施形態によると、ユーザ操作によってＡＶアンプの音声モードが設定されるとディスプレイ装置３０の映像モードを自動的に設定でき、ユーザ操作によってディスプレイ装置３０の映像モードが設定されるとＡＶアンプ２０の音声モードを自動的に設定することができる。
【００６９】
次に、図８のフローチャートの変形例を、図９を参照し説明する。図９においては、図８のＳ１５の代わりにＳ１８の判断処理が実行される以外は、図８の処理と同じである。Ｓ１８において、ＡＶアンプ２０のシステム制御部２３は、セレクタ部３７がＡＶアンプ２０を選択しているか否かを判断する。セレクタ部３７がＡＶアンプ２０を選択しているか否かの情報はディスプレイ装置３０のシステム制御部３３から、ＣＥＣラインを介してシステム制御部２３に都度通知される。
【００７０】
セレクタ部３７がＡＶアンプ２０を選択していない場合（Ｓ１８でＮＯ）、システム制御部２３は、映像モード設定通知に含まれる映像モードに対応する音声モードに設定せずに、ユーザ操作によって設定された音声モードを維持する（Ｓ１７）。ディスプレイ装置３０がＡＶアンプ２０からの映像データを表示していないので、ディスプレイ装置３０に設定された映像モードに関連づけて音声モードを設定すると、ユーザに違和感を与えるからである。
【００７１】
一方、セレクタ部３７がＡＶアンプ２０を選択している場合（Ｓ１８でＹＥＳ）、システム制御部２３は、映像モード設定通知に含まれる映像モードに対応する音声モードに設定する（Ｓ１６）。詳細には、システム制御部２３は、図２（ａ）の音声モードテーブルを参照し、映像モードに関連付けて記憶されている音声モードを選択し、メモリ２５に音声モードを記憶することにより設定し、音声処理部２６に音声モードに基づいて音声処理を実行するように指示する。従って、ディスプレイ装置３０がＡＶアンプ２０からの映像データを表示している場合、ディスプレイ装置３０に設定された映像データに関連づけて音声データを自動的に設定することにより、音声処理部２６が最適な音声処理を実行することができる。
【００７２】
以上、本発明の好ましい実施形態を説明したが、本発明はこれらの実施形態には限定されない。例えば、ＡＶアンプ２０からディスプレイ装置３０に映像データを送信するのではなく、ＤＶＤプレーヤ１０からディスプレイ装置３０に直接映像データを送信してもよい。この場合、図８のＳ１５の判断処理は、ＤＶＤプレーヤ１０がディスプレイ装置３０に映像データを送信しているか否か（この情報も、ＤＶＤプレーヤからＡＶアンプに通知される）に置き換えられる。また、上記コマンドは、ＣＥＣラインを介して行われるのではなく、他の通信ラインやＩＥＥＥ１３９４やＵＳＢ等を介して行われてもよい。また、ＤＶＤプレーヤ１０とＡＶアンプ２０とが一体となった機器（この機器を音声処理装置と呼ぶ）が採用されてもよい。この場合、ＤＶＤプレーヤ１０からコンテンツに映像データを含むか否かの通知をＡＶアンプ２０に送信する必要がなくなる。また、ＤＶＤプレーヤ、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００７３】
本発明は、ＤＶＤプレーヤ、ＡＶアンプおよびディスプレイ装置等に好適に採用され得る。
【図面の簡単な説明】
【００７４】
【図１】本発明の好ましい実施形態によるＤＶＤプレーヤ１０、ＡＶアンプ２０及びディスプレイ装置３０を示すブロック図である。
【図２】（ａ）は音声モードテーブルを、（ｂ）は映像モードテーブルを、（ｃ）はセレクタテーブルを示す図である。
【図３】ＤＶＤプレーヤ１０の動作を説明するフローチャートである。
【図４】ＡＶアンプ２０の動作を説明するフローチャートである。
【図５】ディスプレイ装置３０の動作を説明するフローチャートである。
【図６】ディスプレイ装置３０の動作を説明するフローチャートである。
【図７】ディスプレイ装置３０の動作を説明するフローチャートである。
【図８】ＡＶアンプ２０の動作を説明するフローチャートである。
【図９】ＡＶアンプ２０の動作を説明するフローチャートである。
【符号の説明】
【００７５】
１０            ＤＶＤプレーヤ
２０            ＡＶアンプ
３０            ディスプレイ装置
【図１】
2009246914.tif 000003
【図２】
2009246914.tif 000004
【図３】
2009246914.tif 000005
【図４】
2009246914.tif 000006
【図５】
2009246914.tif 000007
【図６】
2009246914.tif 000008
【図７】
2009246914.tif 000009
【図８】
2009246914.tif 000010
【図９】
2009246914.tif 000011